(57)【要約】【課題】携帯機器本体に衝撃が与えられた際に、速やかに電池異常を検出して電池異常を通知することが可能な携帯機器、表示方法、表示プログラムを提供することを目的としている。【解決手段】携帯機器本体に与えられた衝撃を検出したとき、電池ユニットの状態を示す情報を参照し、この情報に基づき電池ユニットに異常が発生したか否かを検出する。そして電池ユニットに異常が検出された場合、異常を示すメッセージ等を表示装置に表示させることにより、速やかに電池異常を検出して電池異常を通知する。【選択図】図６
2010025594.tif 000002
【特許請求の範囲】
【請求項１】
充放電可能な二次電池から構成される電池ユニットにより駆動される携帯機器であって、
当該携帯機器に与えられる衝撃を検出する衝撃検出手段と、
前記電池ユニットの状態を示す状態情報に基づき、前記電池ユニットに異常が発生したか否かを判定する異常判定手段と、
当該携帯機器の有する表示装置の表示を制御する表示制御手段と、を有し、
前記異常判定手段は、前記衝撃検出手段により衝撃が検出されたとき、前記電池ユニットに異常が発生したか否かを判定し、
前記表示制御手段は、前記異常判定手段により電池ユニットが異常であると判定されたとき、前記電池ユニットの異常を示す表示を行う携帯機器。
【請求項２】
前記電池ユニットの状態を監視し、前記電池ユニットの状態情報を取得する監視手段を有し、
前記異常判定手段は、
前記監視手段により取得される前記状態情報を参照して前記電池ユニットに異常が発生したか否かの判定を行う請求項１記載の携帯機器。
【請求項３】
前記監視手段は、
前記電池ユニットを流れる電流を検出する電流検出手段と、
前記電池ユニットの電圧を検出する電圧検出手段と、
前記電池ユニットの温度を検出する温度検出手段と、
前記電池ユニットの内部ショートを検出する内部ショート検出手段と、有する請求項２記載の携帯機器。
【請求項４】
前記電池ユニットと、前記監視手段とは、当該携帯機器に搭載される電池パックに含まれる請求項２又は３記載の携帯機器。
【請求項５】
充放電可能な二次電池から構成される電池ユニットにより駆動される携帯機器による表示方法であって、
当該携帯機器に与えられる衝撃を検出する衝撃検出手順と、
前記電池ユニットの状態を示す状態情報に基づき、前記電池ユニットに異常が発生したか否かを判定する異常判定手順と、
当該携帯機器の有する表示装置の表示を制御する表示制御手順と、を有し、
前記異常判定手順は、前記衝撃検出手順により衝撃が検出されたとき、前記電池ユニットに異常が発生したか否かを判定し、
前記表示制御手順は、前記異常判定手順により前記電池ユニットが異常であると判定されたとき、前記電池ユニットの異常を示す表示を行う表示方法。
【請求項６】
充放電可能な二次電池から構成される電池ユニットにより駆動される携帯機器において実行される表示プログラムであって、
前記携帯機器に、
前記携帯機器に与えられる衝撃を検出する衝撃検出ステップと、
前記電池ユニットの状態を示す状態情報に基づき、前記電池ユニットに異常が発生したか否かを判定する異常判定ステップと、
当該携帯機器の有する表示装置の表示を制御する表示制御ステップと、を実行させ、
前記異常判定ステップは、前記衝撃検出ステップにより衝撃が検出されたとき、前記電池ユニットに異常が発生したか否かを判定し、
前記表示制御ステップは、前記異常判定ステップにより前記電池ユニットが異常であると判定されたとき、前記電池ユニットの異常を示す表示を行う表示プログラム。
【発明の詳細な説明】
【技術分野】
【０００１】
本発明は、充放電可能な二次電池から構成される電池ユニットにより駆動される携帯機器、この携帯機器による表示方法、表示プログラムに関する。
【背景技術】
【０００２】
近年では、電子機器の小型化に伴い、リチウムイオン電池等の二次電池から構成される電池ユニットにより駆動される携帯機器が普及しつつある。通常、携帯機器では、使用上の安全性を確保するために、携帯機器に搭載された電池ユニットの状態を監視する監視用ＩＣ等が搭載されており、電池ユニットに異常が発生した場合にはこの異常を検出することができる。例えば特許文献１には、電池異常を検出して、それを報知することができる携帯電話装置が記載されている。
【特許文献１】特開２０００−７８２５０号公報
【発明の開示】
【発明が解決しようとする課題】
【０００３】
しかしながら上記従来の技術では、電池の劣化等による電池異常のみを検出する構成となっており、携帯機器本体の状態と、電池異常の検出のタイミングとは連携していない。したがって、例えば何らかの理由により携帯機器に衝撃等が与えられて、この衝撃により電池の異常が発生した場合、速やかに電池異常が検出されずに不具合のある電池が継続して使用される虞がある。
【０００４】
本発明は、上記事情を鑑みてこれを解決すべくなされたものであり、携帯機器本体に衝撃が与えられた際に、速やかに電池異常を検出して電池異常を通知することが可能な携帯機器、表示方法、表示プログラムを提供することを目的としている。
【課題を解決するための手段】
【０００５】
本発明は、上記目的を達成するために以下の如き構成を採用した。
【０００６】
本発明は、充放電可能な二次電池（２１１）から構成される電池ユニット（２１０）により駆動される携帯機器（１００）であって、
当該携帯機器（１００）に与えられる衝撃を検出する衝撃検出手段（１１０）と、
前記電池ユニット（２１０）の状態を示す状態情報に基づき、前記電池ユニット（２１０）に異常が発生したか否かを判定する異常判定手段（１３０）と、
当該携帯機器（１００）の有する表示装置（１２）の表示を制御する表示制御手段（１４０）と、を有し、
前記異常判定手段（１３０）は、前記衝撃検出手段（１１０）により衝撃が検出されたとき、前記電池ユニットに異常が発生したか否かを判定し、
前記表示制御手段（１４０）は、前記異常判定手段（１３０）により電池ユニット（２１０）が異常であると判定されたとき、前記電池ユニット（２１０）の異常を示す表示を行う構成とした。
【０００７】
また本発明の携帯機器は、前記電池ユニット（２１０）の状態を監視し、前記電池ユニットの（２１０）状態情報を取得する監視手段（２２０）を有し、
前記異常判定手段（１３０）は、
前記監視手段（２２０）により取得される前記状態情報を参照して前記電池ユニット（２１０）に異常が発生したか否かの判定を行う構成とした。
【０００８】
また本発明の携帯機器において、前記監視手段（２２０）は、
前記電池ユニット（２１０）を流れる電流を検出する電流検出手段（２２２ｃ）と、
前記電池ユニット（２１０）の電圧を検出する電圧検出手段（２２２ｂ）と、
前記電池ユニット（２１０）の温度を検出する温度検出手段（２２２ａ）と、
前記電池ユニット（２１０）の内部ショートを検出する内部ショート検出手段（２３４）と、有する構成とした。
【０００９】
また本発明において、前記電池ユニット（２１０）と、前記監視手段（２２０）とは、当該携帯機器（１００）に搭載される電池パック（２００）に含まれる構成とした。
【００１０】
本発明は、充放電可能な二次電池（２１１）から構成される電池ユニット（２１０）により駆動される携帯機器（１００）による表示方法であって、
当該携帯機器（１００）に与えられる衝撃を検出する衝撃検出手順（Ｓ６１）と、
前記電池ユニット（２１０）の状態を示す状態情報に基づき、前記電池ユニット（２１０）に異常が発生したか否かを判定する異常判定手順（Ｓ６４）と、
当該携帯機器（１００）の有する表示装置（１２）の表示を制御する表示制御手順（Ｓ６２、Ｓ６５、Ｓ６６）と、を有し、
前記異常判定手順（Ｓ６４）は、前記衝撃検出手順（Ｓ６１）により衝撃が検出されたとき、前記電池ユニット（２１０）に異常が発生したか否かを判定し、
前記表示制御手順（Ｓ６２、Ｓ６５、Ｓ６６）は、前記異常判定手順（Ｓ６４）により前記電池ユニット（２１０）が異常であると判定されたとき、前記電池ユニット（２１０）の異常を示す表示を行う方法とした。
【００１１】
本発明は、充放電可能な二次電池（２１１）から構成される電池ユニット（２１０）により駆動される携帯機器（１００）において実行される表示プログラムであって、
前記携帯機器（１００）に、
前記携帯機器（１００）に与えられる衝撃を検出する衝撃検出ステップ（Ｓ６１）と、
前記電池ユニット（２１０）の状態を示す状態情報に基づき、前記電池ユニット（２１０）に異常が発生したか否かを判定する異常判定ステップ（Ｓ６４）と、
当該携帯機器（１００）の有する表示装置（１２）の表示を制御する表示制御ステップ（Ｓ６２、Ｓ６５、Ｓ６６）と、を実行させ、
前記異常判定ステップ（Ｓ６４）は、前記衝撃検出ステップ（Ｓ６１）により衝撃が検出されたとき、前記電池ユニット（２１０）に異常が発生したか否かを判定し、
前記表示制御ステップ（Ｓ６２、Ｓ６５、Ｓ６６）は、前記異常判定ステップ（Ｓ６４）により前記電池ユニット（２１０）が異常であると判定されたとき、前記電池ユニット（２１０）の異常を示す表示を行うプログラムとした。
【００１２】
なお、上記括弧内の参照符号は、理解を容易にするために付したものであり、一例にすぎず、図示の態様に限定されるものではない。
【発明の効果】
【００１３】
本発明によれば、携帯機器本体に衝撃が与えられた際に、速やかに電池異常を検出して電池異常を通知することができる。
【発明を実施するための最良の形態】
【００１４】
本発明は、携帯機器本体に与えられた衝撃を検出したとき、電池ユニットの状態を示す情報を参照し、この情報に基づき電池ユニットに異常が発生したか否かを検出する。そして電池ユニットに異常が検出された場合、異常を示すメッセージ等を表示装置に表示させることにより、速やかに電池異常を検出して電池異常を通知する。
【００１５】
（実施形態）
以下に図面を参照して本発明の実施形態について説明する。図１は、本発明の携帯機器１００のハードウェア構成の一例を示す図である。
【００１６】
携帯機器１００は、それぞれバスＢで相互に接続されている操作装置１１、表示装置１２、ドライブ装置１３、補助記憶装置１４、メモリ装置１５、演算処理装置１６および通信装置１７で構成される。
【００１７】
操作装置１１は、携帯機器１００を操作するためのものであり、携帯機器１００を操作するための各種信号を入力される。操作装置１１は、具体的には例えば電源キーやテンキー等の操作ボタン等である。表示装置１２は、例えば液晶ディスプレイ等であり、携帯機器１００の操作を案内する案内画面や、携帯機器１００で実行されている処理の進捗状況等が表示される。通信装置１７は、携帯端末１００が他の携帯機器や基地局等と通信を行うための装置であり、具体的には例えば携帯機器１００に設けられたアンテナ及びアンテナからデータを送受信するための処理等を担う。
【００１８】
本発明の表示プログラムは、携帯機器１００を制御する各種プログラムの少なくとも一部である。表示プログラムは、例えば記録媒体１８の配布や、通信装置１７を介した受信などによって提供される。表示プログラムを記録した記録媒体１８は、例えばメモリカード等の携帯機器１００により読み取り可能な記録媒体である。
【００１９】
また、表示プログラムを記録した記録媒体１８がドライブ装置１３にセットされると、表示プログラムは記録媒体１８からドライブ装置１３を介して補助記憶装置１４にインストールされる。通信装置１７を介して受信された表示プログラムは、補助記憶装置１４にインストールされる。
【００２０】
補助記憶装置１４は、インストールされた表示プログラムを格納すると共に、必要なファイル、データ等を格納する。メモリ装置１５は、携帯機器１００の起動時に補助記憶装置１４から、表示プログラムを読み出して展開する。そして、演算処理装置１６はメモリ装置１５に展開された表示プログラムに従って、後述するような各種処理を実現している。
【００２１】
次に、図２を参照して本実施形態の携帯機器１００の機能構成を説明する。図２は、本発明の携帯機器１００の機能構成を説明する図である。
【００２２】
本実施形態の携帯機器１００には、電池パック２００が搭載されており、電池パック２００の有する電池ユニット２１０から電源が供給されて動作する。電池パック２００の詳細は後述する。
【００２３】
本実施形態の携帯機器１００は、衝撃検出部１１０、状態情報参照部１２０、異常判定部１３０、表示制御部１４０を有する。携帯機器１００は、衝撃検出部１１０により衝撃が与えられたことが検出されると、状態情報参照部１２０により、電池パック２００内の監視ＩＣ２２０により取得される電池ユニット２１０の状態情報を参照する。そして異常判定部１３０は、参照した状態情報に基づき電池ユニット２１０に異常が発生したか否かを判定する。異常が発生したと判定された場合、表示制御部１４０は、その旨を表示装置１２に表示させる。
【００２４】
以下に携帯機器１００の有する各部の機能をさらに説明する。
【００２５】
本実施形態の衝撃検出部１１０は、加速度検出部１１１、移動距離計測部１１２、画像判断部１１３を有する。加速度検出部１１１は、例えば携帯機器１００が移動する際の加速度を検出する。また加速度検出部１１１は、例えば携帯機器１００が落下した際に携帯機器１００に与えられる衝撃を検出する。本実施形態の加速度検出部１１１は、検出した加速度が所定値以上となった場合や、携帯機器１００が落下した際の衝撃を検出した場合に、携帯機器１００に衝撃が与えられたものとして、これを検出する。
【００２６】
移動距離計測部１１２は、例えば携帯機器１００に備えられたＧＰＳ（Global Positioning System）機能等により、携帯機器１００の移動距離と移動時間を計測する。本実施形態の移動距離計測部１１２は、例えば携帯機器１００の所定の移動時間における移動距離が、所定の距離以上である場合に、携帯機器１００に衝撃が与えられたものとして、これを検出する。
【００２７】
画像判断部１１３は、例えば携帯機器１００に設けられたカメラ等の撮像手段を常時起動させて画像を撮像し、撮像した画像に基づき携帯機器１００の移動距離を計測する。本実施形態の画像判断部１１３では、撮像した画像により所定時間以内に所定距離以上携帯機器１００が移動したと判断された場合に、携帯機器１００に衝撃が与えられたものとして、これを検出する。
【００２８】
尚本実施形態の衝撃検出部１１０は、上述の加速度検出部１１１、移動距離計測部１１２、画像判断部１１３の全てを用いて携帯機器１００に与えられた衝撃を検出して良い。この場合例えば、上記各部全てにおいて衝撃が検出された場合に、携帯機器１００に衝撃が与えられたものとした検出しても良い。また例えば上記各部のうち、何れか一つにおいて衝撃が検出された場合に、携帯機器１００に衝撃が与えられたものとして検出しても良い。
【００２９】
また本実施形態の衝撃検出部１１０は、加速度検出部１１１、移動距離計測部１１２、画像判断部１１３のうち何れか一つ又は二つを備えてれば良い。本実施形態の衝撃検出部１１０は、携帯機器１００に衝撃が与えられたことを検出できれば良い。
【００３０】
状態情報参照部１２０は、電池パック２００の有する監視ＩＣ２２０が取得する電池ユニット２１０の状態情報を参照する。本実施形態の状態情報とは、例えば電池ユニット２１０の電圧を示す情報、電池ユニット２１０の電流を示す情報、電池ユニット２１０の抵抗値を示す情報、電池ユニット２１０の温度を示す情報、電池ユニット２１０の内部ショートが検出されたか否かを示す情報等である。監視ＩＣ２２０による電池ユニット２１０の状態情報の取得の詳細は後述する。
【００３１】
異常判定部１３０は、状態情報参照部１２０により参照された状態情報に基づき、電池ユニット２１０に異常が発生しているか否かを判定する。
【００３２】
具体的には異常判定部１３０は、例えば参照された状態情報に含まれる電池ユニット２１０の電圧、電流、抵抗値、温度が、予め設定された所定範囲外の値であった場合に電池ユニット２１０に異常が発生したものと判定する。また異常判定部１３０は、電池ユニット２１０の内部ショートが検出されている場合に、電池ユニット２１０に異常が発生したと判定する。
【００３３】
表示制御部１４０は、表示装置１２における表示を制御する。本実施形態の表示制御部１４０は、例えば異常判定部１３０により電池ユニット２１０に異常が発生したと判定されたとき、異常の発生を示すメッセージや、電池パック２００の交換を促すメッセージ等を表示装置１２へ表示させる。
【００３４】
ここで、本実施形態の携帯機器１００の動作に説明に先立ち、携帯機器１００に搭載される電池パック２００について説明する。
【００３５】
図３は、携帯機器１００に搭載される電池パック２００を説明する図である。
【００３６】
電池パック２００は、例えばリチウムイオン電池等の二次電池２１１が複数接続された電池ユニット２１０を有する。尚本実施形態では、電池ユニット２１０は二次電池２１１が直列に接続された構成としたが、これに限定されない。
【００３７】
電池パック２００は、電池パック２００が搭載される携帯機器１００と接続するための正極端子２１２及び負極端子２１３と、電池ユニット２１０との間に、監視ＩＣ２２０及び保護ＩＣ２３０を有する。
【００３８】
監視ＩＣ２２０は、電池ユニット２１０の状態を監視し、電池ユニット２１０の状態情報を取得する。そして監視ＩＣ２２０は、携帯機器１００からの状態情報の参照要求を受けると、取得した状態情報を携帯機器１００へ提供する。
【００３９】
監視ＩＣ２２０は、電源端子ＶＤＤ及び基準電位端子ＶＳＳと、電圧検知端子ＶＢＡＴ１と、ひと組の電流検知端子ＶＲＳＰ及びＶＲＳＭと、通信端子ＳＩＯとを有する。監視ＩＣ２２０は、電源端子ＶＤＤを介して、保護ＩＣ２３０において電池電圧からレギュレートされた電圧を受け取る。基準電位端子ＶＳＳは、電池ユニット２１０の負極へ接続されている。
【００４０】
監視ＩＣ２２０は、電池ユニット２１０の正極へ接続された電圧検知端子ＶＢＡＴ１を介して電池ユニット２１０の出力電圧を検出することができる。一方の電流検知端子ＶＲＳＭは二次電池２１１の負極へ接続され、更に、監視ＩＣ２２０の外部で抵抗Ｒ１１を介してもう一方の電流検知端子ＶＲＳＰへ接続されている。
【００４１】
監視ＩＣ２２０は、電流検知端子ＶＲＳＰ及びＶＲＳＭを介して、外部抵抗Ｒ１１に流れる電流、即ち、電池ユニット２１０の充放電電流を検出する。また本実施形態の監視ＩＣ２２０は、電池ユニット２１０の内部ショートを検出する。通信端子ＳＩＯは、保護ＩＣ２３０を介して、携帯機器１００との通信に使用される外部端子２１４へ接続されている。本実施形態の監視ＩＣ２２０は、通信端子ＳＩＯ及び保護ＩＣ２３０を介して携帯機器１００と通信を行う。監視ＩＣ２２０の詳細は後述する。
【００４２】
保護ＩＣ２３０は、電池パック２００を過充電、過放電から保護する。保護ＩＣ２３０は、電池パック２００の充放電を遮断するＭＯＳトランジスタＭ１１、Ｍ１２のゲートにそれぞれ接続される端子ＤＯＵＴと端子ＣＯＵＴとを有する。保護ＩＣ２３０は過放電或いは過電流を検出したときＤＯＵＴ出力をローレベルとしてＭＯＳトランジスタＭ１１を遮断し、過充電検出回路で過充電を検出したときＣＯＵＴ出力をローレベルとしてＭＯＳトランジスタＭ１２を遮断する。
【００４３】
以下に図４、図５を参照して監視ＩＣ２２０の詳細を説明する。図４は、監視ＩＣ２２０のハードウェア構成を示す図である。図４において、監視ＩＣ２２０は、ＣＰＵ（Ｃｅｎｔｒａｌ  Ｐｒｏｃｅｓｓｉｎｇ  Ｕｎｉｔ）２２１、センサ部２２２、ＲＯＭ（Ｒｅａｄ  Ｏｎｌｙ  Ｍｅｍｏｒｙ）２２３、ＥＥＰＲＯＭ（Ｅｌｅｃｔｒｉｃａｌｌｙ  Ｅｒａｓａｂｌｅ  ａｎｄ  Ｐｒｏｇｒａｍａｂｌｅ  ＲＯＭ）２２４、シリアルインターフェース（Ｉ／Ｆ）２２５を有する。
【００４４】
ＣＰＵ２２１は、監視ＩＣ２２０の各部を制御する。センサ部２２２は、電池ユニット２１０の電圧、電流及び温度を検出する。ＲＯＭ２２３には、ＣＰＵ２２１が監視ＩＣ２２０の各部を制御するために実行するプログラムが格納されている。ＥＥＰＲＯＭ２２４には、センサ部２２２によって検出された電池ユニット２１０の電圧、電流及び温度の各パラメータ等の情報が格納される。シリアルＩ／Ｆ２２５は、通信端子ＳＩＯを介して携帯機器１００と通信を行う。ＣＰＵ２２１、センサ部２２２、ＲＯＭ２２３、ＥＥＰＲＯＭ２２４及びシリアルＩ／Ｆ２２５は、バス２２６によって接続されており、夫々の間でデータ及びプログラムをやり取りすることができる。
【００４５】
また、センサ部２２２は、温度センサ回路２２２ａ、電圧センサ回路２２２ｂ、電流センサ回路２２２ｃ、マルチプレクサ２２２ｄ、アナログ−デジタル（Ａ／Ｄ）変換回路２２２ｅを有する。
【００４６】
温度センサ回路２２２ａは、電池ユニット２１０の温度を検出する。電圧センサ回路２２２ｂは、電池ユニット２１０へ接続された電圧検知端子ＶＢＡＴ１を介して、電池ユニット２１０の出力電圧を検出する。電流センサ回路２２２ｃは、電流検知端子ＶＲＳＰ及びＶＲＳＭを介して、外部抵抗Ｒ１１に流れる電流、即ち、電池ユニット２１０の充放電電流を検出する。温度センサ回路２２２ａ、電圧センサ回路２２２ｂ及び電流センサ回路２２２ｃの各出力はマルチプレクサ２２２ｄへ接続されており、マルチプレクサ２２２ｄによって１つの信号として出力される。Ａ／Ｄ変換回路２２２ｅは、マルチプレクサ２２２ｄによって出力された信号をアナログからデジタルに変換する。
【００４７】
図５は、監視ＩＣ２２０の機能構成を説明する図である。尚本実施形態において、図５に示す監視ＩＣ２２０の機能構成は、図４に示されたＲＯＭ２２３に記憶された特定のプログラムによって実現される。
【００４８】
監視ＩＣ２２０は、電流値取得部２３１、電圧値取得部２３２、計時部２３３、ショート検出部２３４、記憶制御部２３５、通信部２３６を有する。
【００４９】
電流値取得部２３１は、電流センサ回路２２２ｃが検出した電流値を取得する。電圧値取得部２３２は、電圧センサ回路２２２ｂが検出した電圧値を取得する。計時部２３３は監視ＩＣ２２０に内蔵された時計機能により計時する。
【００５０】
ショート検出部２３４は、電流値取得部２３１により取得された電流値、電圧値取得部２３２により取得された電圧値、計時部２３３による計時機能により、電池ユニット２１０内の内部ショートを検出する。具体的にはショート検出部２３４は、電流値取得部２３１により取得された電流値が所定値以下の場合に、電圧値取得部２３２により取得した電圧値を記憶制御部２３５により記憶する。そして電流値が所定値以下の状態で所定時間が経過した後、再度電圧値取得部２３２により電圧値を取得し、取得した電圧値と記憶された電圧値との差が所定値以上である場合に内部ショートを検出する。
【００５１】
記憶制御部２３５は、電流値取得部２３１により取得された電流値、電圧値取得部２３２により取得された電圧値等のパラメータ（状態情報）を例えばＥＥＰＲＯＭ２２４等に格納する。通信部２３６は、電池パック２００が内蔵される携帯機器１００との通信を行う。
【００５２】
次に、図６を参照して本実施形態の携帯機器１００の動作を説明する。図６は、本発明の携帯機器１００の動作を説明するフローチャートである。
【００５３】
携帯機器１００は、ステップＳ６１において、衝撃検出部１１０により携帯機器１００に与えられた衝撃が検出されると、ステップＳ６２へ進む。尚携帯機器１００に与えられる衝撃とは、例えば携帯機器１００を落とした際の衝撃や、携帯機器１００を何らかの障害物等にぶつけた際の衝撃等である。ステップＳ６２において、表示制御部１４０は、衝撃を検出したことを表示装置１２へ表示させる。
【００５４】
図７に、携帯機器１００の表示装置１２に表示される画面の例を示す。ステップＳ６２において、表示制御部１４０は、例えば図７（Ａ）に示すように、衝撃を検出したことを示すメッセージを表示装置１２に表示させる。また表示制御部１４０は、このとき電池ユニット２１０に異常が発生したか否かを判定する異常判定を開始する旨を表示装置１２に表示させても良い。
【００５５】
図６に戻って、ステップＳ６２に続いてステップＳ６３へ進み、携帯機器１００において状態情報参照部１２０は、電池パック２００の状態情報を参照する。具体的には状態情報参照部１２０は、電池パック２００内の監視ＩＣ２２０の有するＥＥＰＲＯＭ２２４等に格納された状態情報を参照する。
【００５６】
ステップＳ６３に続いてステップＳ６４へ続き、異常判定部１３０は、参照した状態情報に基づき電池ユニット２１０に異常が発生したか否かを判定する。具体的には異常判定部１３０は、参照した状態情報に含まれる電池ユニット２１０の電圧値、電流値、温度が、予め設定された所定範囲外にあるとき、電池ユニット２１０に異常が発生したと判定する。
【００５７】
尚本実施形態では、例えば状態情報参照部１２０により参照される状態情報の項目が予め設定されていても良い。この場合異常判定部１３０は、設定された項目の状態情報が所定範囲外であるか否かを判定する。具体的には例えば、状態情報参照部１２０により参照される状態情報が電池ユニット２１０の電圧値と設定されていた場合、異常判定部１３０は、参照された電池ユニット２１０の電圧値が所定範囲外であるとき電池ユニット２１０に異常が発生したと判定する。
【００５８】
また本実施形態では、例えば異常判定部１３０は、状態情報参照部１２０が参照した状態情報の全ての項目が所定範囲外であるとき、電池ユニット２１０に異常が発生したと判定しても良い。例えば状態情報参照部１２０が参照した状態情報が電池ユニット２１０の電圧値、電流値、温度であった場合、異常判定部１３０は、電圧値、電流値、温度の全てが所定範囲外であったときに電池ユニット２１０に異常が発生したと判定しても良い。
【００５９】
尚本実施形態の携帯機器１００では、所定範囲の情報は、例えば補助記憶装置１４等に格納されている。所定範囲とは、例えば電池ユニット２１０の状態が正常と判断される電圧値の範囲、電流値の範囲、温度の範囲である。
【００６０】
また本実施形態の状態情報には、電池ユニット２１０の内部ショートが検出されたか否かを示す情報も含まれる。本実施形態の電池パック２００では、監視ＩＣ２２０においてショート検出部２３４が電池ユニット２１０の内部ショートを検出すると、記憶制御部２３５が内部ショートの検出を示す情報をＥＥＲＲＯＭ２２４等に格納する。
【００６１】
異常判定部１３０は、状態情報参照部１２０が参照した状態情報に、電池ユニット２１０の内部ショートの検出を示す情報が含まれる場合も、電池ユニット２１０に異常が発生したもの判定する。
【００６２】
ステップＳ６４において、電池ユニット２１０に異常が発生したと判定された場合、ステップＳ６５へ進む。ステップＳ６５において、表示制御部１４０は、電池ユニット２１０に異常が検出されたことを表示装置１２へ表示させる。ステップＳ６５に続いてステップＳ６６へ進み、表示制御部１４０は、さらに電池パック２００の交換を促す画面を表示装置１２に表示させる。
【００６３】
図７（Ｂ）は、電池ユニット２１０に異常が検出されたことを示す画面の一例を示している。表示制御部１４０は、図７（Ｂ）に示すように、電池ユニット２１０に異常が検出されたことを示すメッセージ等を表示装置１２に表示させる。図７（Ｃ）は、電池パック２００の交換を促す画面の一例を示している。表示制御部１４０は、図７（Ｃ）に示すように、電池パック２００の交換を促すようにメッセージを表示装置１２に表示させる。
【００６４】
本実施形態では、以上に説明したように、携帯機器１００に衝撃が与えられた際に、速やかに電池ユニットの異常を検出し、電池ユニット２１０の異常をユーザ等に通知することができる。よって本実施形態によれば、不具合のある電池ユニット２１０が使用され続けることを防止できるため、不具合のある電池を使い続けることにより生じる事故等を未然に防ぐことができ、携帯機器１００の使用に際し、安全性を向上させることができる。
【００６５】
以上、実施形態に基づき本発明の説明を行ってきたが、上記実施形態に示した要件に本発明が限定されるものではない。これらの点に関しては、本発明の主旨をそこなわない範囲で変更することができ、その応用形態に応じて適切に定めることができる。
【図面の簡単な説明】
【００６６】
【図１】本発明の携帯機器１００のハードウェア構成の一例を示す図である。
【図２】本発明の携帯機器１００の機能構成を説明する図である。
【図３】携帯機器１００に搭載される電池パック２００を説明する図である。
【図４】監視ＩＣ２２０のハードウェア構成を示す図である。
【図５】監視ＩＣ２２０の機能構成を説明する図である。
【図６】本発明の携帯機器１００の動作を説明するフローチャートである。
【図７】携帯機器１００の表示装置１２に表示される画面の例を示す図である。
【符号の説明】
【００６７】
１２  表示装置
１００  携帯機器
１１０  衝撃検出部
１２０  状態情報参照部
１３０  異常判定部
１４０  表示制御部
２００  電池パック
２１０  電池ユニット
２２０  監視ＩＣ
【図１】
2010025594.tif 000003
【図２】
2010025594.tif 000004
【図３】
2010025594.tif 000005
【図４】
2010025594.tif 000006
【図５】
2010025594.tif 000007
【図６】
2010025594.tif 000008
【図７】
2010025594.tif 000009